(57)【要約】【課題】本発明はコンテンツ提供方法及びシステムに関し、正当な権利を取得したユーザのみに料金回収の手間を省くことができるコンテンツ提供方法及びシステムを提供することを目的としている。【解決手段】復元鍵を用いたコンテンツの復号化を行なう提供記憶媒体４０と、該提供記憶媒体４０のを読み取る読取部１と、前記提供記憶媒体４０内のインストーラ部を記憶し、かつコンテンツを記憶する第１の記憶部２と、前記コンテンツセンター２０と接続される第１の接続部４と、前記読取部，記憶部，接続部を制御する制御部３とで構成される提供記憶媒体運用装置１０と、前記提供記憶媒体運用装置１０及び銀行又はクレジット会社と接続する第２の接続部２１と、前記提供記憶媒体４０の復元鍵を記憶しておく第２の記憶部２３と、前記接続部及び第２の記憶部を制御する制御部２２とで構成されるコンテンツセンター２０とで構成される。【選択図】      図２
2004289365.tif 000002
【特許請求の範囲】
【請求項１】
提供記憶媒体運用装置とコンテンツセンターとが接続されたシステムにおいて、前記提供記憶媒体運用装置内の提供記憶媒体が、媒体を識別する識別子と、記憶部への格納処理を行なうインストーラと、暗号化されていない基本コンテンツと、秘密鍵により暗号化されたコンテンツを格納しておく工程（ステップ１）と、
前記コンテンツセンターの記憶部には、前記提供記憶媒体の秘密鍵を格納しておく工程（ステップ２）と、
前記提供記憶媒体運用装置では、インストーラにより識別子確認後、前記提供記憶媒体から記憶部へ格納を行ない、基本コンテンツを運用する工程（ステップ３）と、
提供記憶媒体の識別子を前記コンテンツセンターへ通知する工程（ステップ４）と、
前記コンテンツセンターは、前記識別子と前記提供記憶媒体の秘密鍵を演算し、オリジナル復元鍵を求め、前記提供記憶媒体運用装置に通知する工程（ステップ５）と、
前記提供記憶媒体運用装置は前記インストーラにより識別子とオリジナル復元鍵を逆演算し秘密鍵を求め、暗号化されたコンテンツを復元し、記憶部への格納処理を行ない、暗号コンテンツを運用する工程（ステップ６）と、
により構成されるコンテンツ提供方法。
【請求項２】
前記請求項１のステップ１において、秘密鍵により暗号化されたコンテンツを複数段用意し、段毎に秘密鍵により復元することを特徴とするコンテンツ提供方法。
【請求項３】
前記請求項１のステップ５及びステップ６において、演算及び逆演算を省き秘密鍵を通知することを特徴とするコンテンツ提供方法。
【請求項４】
前記請求項１のステップ６において、何らかの方法で通知されたオリジナル復元鍵を手入力することを特徴とするコンテンツ提供方法。
【請求項５】
前記請求項１のステップ６において、前記提供記憶媒体自体を復元することを特徴とするコンテンツ提供方法。
【請求項６】
前記請求項１のステップ１及びステップ６において、暗号化されたコンテンツ格納の代わりにパスワード入力によりアクセス可能なコンテンツ格納を用いることを特徴とするコンテンツ提供方法。
【請求項７】
提供記憶媒体運用装置とコンテンツセンターとが接続されたシステムにおいて、
各種のコンテンツを暗号化して記憶すると共に、復元鍵を用いたコンテンツの復号化を行なう提供記憶媒体と、
該提供記憶媒体の内容を読み取る読取部と、前記提供記憶媒体内のインストーラ部を記憶し、かつコンテンツを記憶する第１の記憶部と、前記コンテンツセンターと接続される第１の接続部と、前記読取部，記憶部，接続部を制御する制御部とで構成される提供記憶媒体運用装置と、
前記提供記憶媒体運用装置及び銀行又はクレジット会社と接続する第２の接続部と、前記提供記憶媒体の復元鍵を記憶しておく第２の記憶部と、前記接続部及び第２の記憶部を制御する制御部とで構成されるコンテンツセンターと、
から構成され、復元鍵を前記コンテンツセンターから提供記憶媒体運用装置へ通知することで暗号化されたコンテンツを復元することを特徴とするコンテンツ提供システム。
【請求項８】
請求項７記載のシステムにおいて、前記提供記憶媒体は、提供記憶媒体を識別する識別子を記憶する識別子記憶部と、
前記提供記憶媒体運用装置の第１の記憶部へ情報の格納処理を行なうと共に、暗号化コンテンツの復元を行なうインストーラ部と、
暗号化されていない基本コンテンツを記憶する基本コンテンツ記憶部と、
秘密鍵により暗号化されたコンテンツを記憶するコンテンツ記憶部と、
により構成されることを特徴とするコンテンツ提供システム。
【請求項９】
前記請求項７記載のコンテンツセンターから通知する復元鍵は、前記提供記憶媒体を識別する識別子で演算したオリジナル鍵であることを特徴とするコンテンツ提供システム。
【請求項１０】
前記請求項７記載の第２の接続部は、銀行又はクレジット会社との接続を行なうことを特徴とするコンテンツ提供システム。
【請求項１１】
前記請求項７記載の提供記憶媒体を識別する識別子のレングスは、秘密鍵のレングスと同じであることを特徴とするコンテンツ提供システム。
【請求項１２】
前記請求項７記載の秘密鍵により暗号化されたコンテンツの代わりに、パスワード入力によりアクセス可能なコンテンツを用いることを特徴とするコンテンツ提供システム。
【発明の詳細な説明】
【０００１】
【発明の属する技術分野】
本発明はコンテンツ提供方法及びシステムに関し、更に詳しくはコンテンツの機能向上を提供する場面で、正当な権利を獲得したユーザのみに料金回収の手間を省き、営業担当者が再訪問しなくても自動的に機能提供することができるコンテンツ提供方法及びシステムに関する。ここで、コンテンツとは、例えば音楽データ、映像データ、書籍等の文書データ、静止画データ、コンピュータのソフトウェア等のことをいう。以下、主として教育コンテンツを用いる場合について説明する。
【０００２】
【従来の技術】
従来、コンテンツは、ＣＤ−ＲＯＭやＤＶＤ−ＲＯＭ等のメディアに収録され、ユーザに提供されている。ユーザは、上記メディアを購入した後、それぞれのメディアの再生装置、例えばパソコンで再生している。
【０００３】
従来のこの種の技術としては、メディアに収録されたコンテンツの再生制限及び再生制限解除を行なうコンテンツ再生の制限・解除サービスシステムがある（例えば特許文献１参照）。この従来技術では、視聴部以外に再生制限が施されており、メディアは聴くことに限定されている。
【０００４】
【特許文献１】
特開２００１−３２５４６０号公報（第３図、図１）
【０００５】
【発明が解決しようとする課題】
従来教育コンテンツの販売は、営業担当者が頻繁にユーザを訪問し、コンテンツの販売（又はレベル更新）をしており、販売効率が悪くコストが見合わず苦労していた。また、一度納入したユーザは、レベル更新の頻度が高く代金回収に苦労していた。更に、コンテンツを暗号化している秘密鍵が漏れると、他ユーザへ販売の同一暗号コンテンツが復元され、代金回収が困難であった。また、問い合わせに対する質問に答える場合、費用がかかるという問題があった。
【０００６】
本発明はこのような課題に鑑みてなされたものであって、コンテンツの機能向上を提供する場面で、正当な権利を取得したユーザのみに料金回収の手間を省き、営業担当者が再訪問しなくてもすむコンテンツ提供方法及びシステムを提供することを目的としている。
【０００７】
【課題を解決するための手段】
（１）請求項１記載の発明は、以下の通りである。図１は本発明方法の原理の原理を示すフローチャートである。本発明は、提供記憶媒体運用装置とコンテンツセンターとが接続されたシステムにおいて、前記提供記憶媒体運用装置内の提供記憶媒体は、媒体を識別する識別子と、記憶部への格納処理を行なうインストーラと、暗号化されていない基本コンテンツと、秘密鍵により暗号化されたコンテンツを格納しておく工程（ステップ１）と、前記コンテンツセンターの記憶部には、前記提供記憶媒体の秘密鍵を格納しておく工程（ステップ２）と、前記提供記憶媒体運用装置では、インストーラにより識別子確認後、前記提供記憶媒体から記憶部へ格納を行ない、基本コンテンツを運用する工程（ステップ３）と、提供記憶媒体の識別子を前記コンテンツセンターへ通知する工程（ステップ４）と、前記コンテンツセンターは、前記識別子と前記提供記憶媒体の秘密鍵を演算し、オリジナル復元鍵を求め、前記提供記憶媒体運用装置に通知する工程（ステップ５）と、前記提供記憶媒体運用装置は前記インストーラにより識別子とオリジナル復元鍵を逆演算し秘密鍵を求め、暗号化されたコンテンツを復元し、記憶部への格納処理を行ない、暗号コンテンツを運用する工程（ステップ６）と、
により構成されることを特徴としている。
【０００８】
このように構成すれば、提供記憶媒体運用装置からコンテンツセンターに提供記憶媒体の識別子を通知すると、コンテンツセンターでは、提供記憶媒体の復元鍵を提供記憶媒体運用装置に通知し、提供記憶媒体運用装置側では、通知された復元鍵に基づいて暗号化されているコンテンツを復元することができる。本発明によれば、営業担当者がわざわざユーザに出向かなくても、コンテンツ更新が可能となる。
（２）請求項２記載の発明は、前記請求項１のステップ１において、秘密鍵により暗号化されたコンテンツを複数段用意し、段毎に秘密鍵により復元することを特徴とする。
【０００９】
このように構成すれば、段毎にコンテンツを復元することができ、更に高いセキュリティを得ることができると共に、段毎に価格を設定できる。
（３）請求項３記載の発明は、前記請求項１のステップ５及びステップ６において、演算及び逆演算を省き秘密鍵を通知することを特徴とする。
【００１０】
このように構成すれば、シーケンスを簡略化することができる。
（４）請求項４記載の発明は、前記請求項１のステップ６において、何らかの方法で通知されたオリジナル復元鍵を手入力することを特徴とする。
【００１１】
このように構成すれば、手入力された復元鍵に基づいてコンテンツを復元することができる。
（５）請求項５記載の発明は、前記請求項１のステップ６において、前記提供記憶媒体自体を復元することを特徴とする。
【００１２】
このように構成すれば、コンテンツを大量に出荷する場合に、格納量が増えるので、提供記憶媒体を少なくすることができる。
（６）請求項６記載の発明は、前記請求項１のステップ１及びステップ６において、暗号化されたコンテンツ格納の代わりにパスワード入力によりアクセス可能なコンテンツ格納を用いることを特徴とする。
【００１３】
このように構成すれば、パスワードを用いて、コンテンツを取得することができる。
（７）請求項７記載の発明は、以下の通りである。図２は本発明の原理ブロック図である。図は、提供記憶媒体運用装置１０とコンテンツセンター２０とが接続されたシステムを構成している。提供記憶媒体運用装置１０側において、４０は各種のコンテンツを暗号化して記憶すると共に、復元鍵を用いたコンテンツの復号化を行なう提供記憶媒体である。
【００１４】
１は該提供記憶媒体４０の内容を読み取る提供記憶媒体読取部、２ａ，２ｂは前記提供記憶媒体４０内のインストーラ部を記憶し、かつ基本コンテンツを記憶する第１の記憶部、４は前記コンテンツセンター２０と接続される第１の接続部、３は前記提供記憶媒体読取部１，第１の記憶部２ａ，２ｂ，接続部４を制御する制御部である。第１の記憶部２は、メモリより構成される記憶部２ａと、ハードディスク２ｂとで構成されている。記憶部２ａは演算用のワークエリアとして用いられ、記憶部２ｂはコンテンツ記憶用として用いられる。提供記憶媒体４０と、提供記憶媒体読取部１と、第１の記憶部２ａ，２ｂと、接続部４と、制御部３とで提供記憶媒体運用装置１０を構成している。
【００１５】
前記コンテンツセンター２０において、２１は前記提供記憶媒体運用装置１０及び銀行３２又はクレジット会社３１と接続する第２の接続部、２３は前記提供記憶媒体４０の復元鍵を記憶しておく第２の記憶部、２２は前記接続部２１及び第２の記憶部２３を制御する制御部である。接続部２１と、制御部２２と、第２の記憶部２３とでコンテンツセンター２０を構成している。
【００１６】
３０は提供記憶媒体運用装置１０とコンテンツセンター２０間を接続するネットワークとしてのインターネットである。該インターネット３０に、前記銀行３２とクレジット会社３１が接続されている。なお、ネットワークはインターネットに限るものではなく、その他の種類のネットワークを用いることができる。
【００１７】
このように構成すれば、ネットワーク３０を介して復元鍵を前記コンテンツセンター２０から提供記憶媒体運用装置１０へ通知することで暗号化されたコンテンツを復元することができる。
（８）請求項８記載の発明は、請求項７記載のシステムにおいて、前記提供記憶媒体は、提供記憶媒体を識別する識別子を記憶する識別子記憶部と、前記提供記憶媒体運用装置の第１の記憶部へ情報の格納処理を行なうと共に、暗号化コンテンツの復元を行なうインストーラ部と、暗号化されていない基本コンテンツを記憶する基本コンテンツ記憶部と、秘密鍵により暗号化されたコンテンツを記憶する暗号化コンテンツ記憶部と、により構成されることを特徴とする。
【００１８】
このように構成すれば、前記コンテンツセンターから復元鍵を受け取ることにより、コンテンツ記憶部に記憶されたコンテンツの復号を行ない、第１の記憶部に記憶させることができる。
（９）請求項９記載の発明は、前記請求項７記載のコンテンツセンターから通知する復元鍵は、前記提供記憶媒体を識別する識別子で演算したオリジナル鍵であることを特徴とする。
【００１９】
このように構成すれば、セキュリティの高い復元鍵を提供することができる。
（１０）請求項１０記載の発明は、前記請求項７記載の第２の接続部は、銀行又はクレジット会社との接続を行なうことを特徴とする。
【００２０】
このように構成すれば、銀行又はクレジット会社からコンテンツ復元に要する料金を徴収することが可能となる。
（１１）請求項１１記載の発明によれば、前記請求項７記載の提供記憶媒体を識別する識別子のレングスは、秘密鍵のレングスと同じであることを特徴とする。
【００２１】
このように構成すれば、演算を容易に行なうことができる。
（１２）請求項１２記載の発明は、前記請求項７記載の秘密鍵により暗号化されたコンテンツの代わりに、パスワード入力によりアクセス可能なコンテンツを用いることを特徴とする。
【００２２】
このように構成すれば、秘密鍵に代えてパスワードを用いてコンテンツにアクセスし、運用することが可能となる。
【００２３】
【発明の実施の形態】
以下、図面を参照して本発明の実施の形態例を詳細に説明する。
【００２４】
図３は提供記憶媒体４０の構成例を示すブロック図である。図において、４１は前記提供記憶媒体運用装置１０の第１の記憶部２へ情報の格納処理を行なうと共に、暗号化コンテンツの復元を行なうインストーラ部、４２は提供記憶媒体を識別する識別子を記憶する識別子記憶部、４３は暗号化されていない基本コンテンツを記憶する基本コンテンツ記憶部、４４は秘密鍵により暗号化されたコンテンツを記憶する暗号化コンテンツ記憶部である。
【００２５】
このように構成すれば、前記コンテンツセンター２０から復元鍵を受け取るこにより、コンテンツ記憶部に記憶されたコンテンツの復号を行ない、第１の記憶部２へ記憶させることができる。
【００２６】
ここでは、暗号化とはデータの利用・参照が不可能な状態を指し、かつ所定の復元化を図れば通常の利用・参照が可能になるものである。本発明では、暗号化・復号化は、処理時間の高速な秘密鍵方式を採用する。また、提供記憶媒体４０は、識別子（ＩＤ）以外は、全て複製により生産コストを抑えるようにしている。従って、秘密鍵は複製された全ての提供記憶媒体に共通とし、管理の容易化を図る。
【００２７】
図４は販売品の暗号化コンテンツ復元鍵（秘密鍵）を示す図である。この暗号化復元鍵は、コンテンツセンター２０側の記憶部２３に記憶されている。提供記憶媒体（販売商品）毎に暗号化コンテンツ復元鍵（秘密鍵）が記憶されている。例えば、商品名「ケンタクン」のコンテンツの復元鍵は「ＦＦＦＦＦＦＦＦＦＦＦ」である。
【００２８】
図５、図６は本発明の動作の一例を示すフローチャートである。図１及び図２の構成を用いて説明する。図中、○で囲まれた「Ｅ」はエンド（ＥＮＤ）を示している。先ず提供記憶媒体運用装置１０側において、オペレータは提供記憶媒体４０のＩＤを入力する（Ｓ１）。正規購入品であれば、確定したＩＤがＩＤ記憶部４２に記憶されている。
【００２９】
図７は販売品一覧を示す図である。商品名（コンテンツ）毎にＩＤが記憶されている。例えば、商品名（ケンタクン）には、ＡＨＳＢ００００００１〜ＡＨＳＢ９９９９９９９までのＩＤが付される。制御部３は、入力されたＩＤとＩＤ記憶部４２に記憶されているＩＤとが一致するかどうかチェックする（Ｓ２）。
【００３０】
ＩＤが一致したら、制御部３は提供記憶媒体読取部１に提供記憶媒体４０の基本コンテンツ部４３の基本コンテンツを読み取らせ、記憶部（ＨＤ）２ｂにインストーラ部４１によりインストールさせる（Ｓ３）。提供記憶媒体運用装置１０は、記憶部２ｂに記憶された基本コンテンツ部４３の基本コンテンツを運用実行する（Ｓ４）。基本コンテンツは、暗号化されていないので、そのまま読み出して実行することができる。
【００３１】
この場合において、基本コンテンツの運用を行なうことにより、データの見方や操作方法をオペレータに習熟させる。営業担当者は、ユーザ先で立ち会い、指導サービスを実施し、基本コンテンツ代金を回収する。
【００３２】
次に、後日ユーザが符号化コンテンツを購入希望かどうかチェックする（Ｓ５）。ユーザが暗号化コンテンツを購入希望の場合には、オペレータは支払い方法を入力する（Ｓ６）。ここで、支払い方法としては、例えば銀行振込やクレジットがある。クレジットで支払う場合、クレジット番号を入力する。次に、制御部３はコンテンツセンター２０に対して暗号化コンテンツ復元要求を行なう（Ｓ７）。この場合、提供記憶媒体のＩＤを添付して暗号化コンテンツ復元要求を行なう。
【００３３】
図８は要求コード一覧を示す図である。ここでは、コードと、その意味と、付加情報より構成されている。例えば、コードが「０００１」の場合には、暗号化コンテンツ復元要求であり、コードが「０００２」の場合は、オリジナル復元鍵送信要求である。この場合、オリジナル復元鍵番号が付加される。
【００３４】
暗号化コンテンツ復元要求を受けたコンテンツセンター２０側では、制御部２２が、暗号化コンテンツ復元鍵要求であるかどうかチェックする（Ｓ９）。そうであった場合には、支払い方法が銀行振り込みであるかどうかをチェックする（Ｓ１０）。銀行振り込みであった場合、制御部２２は銀行口座に照会する（Ｓ１１）。照会を受けた銀行では、口座照会であるかどうかをチェックし（Ｓ１２）、そうであった場合には、口座照会結果をコンテンツセンター２０側に通知する（Ｓ１３）。
【００３５】
ステップＳ１０において、支払い方法が銀行振り込みでない場合、支払い方法はクレジットであるかどうかチェックする（Ｓ１４）。支払い方法がクレジットである場合、制御部２２はクレジット会社に照会する（Ｓ１５）。クレジット会社では、この通知を受けると、クレジット照会であるかどうかチェックする（Ｓ１６）。そうであった場合には、コンテンツセンター２０に対してクレジット照会を通知する（Ｓ１７）。
【００３６】
コンテンツセンター２０では、銀行又はクレジット会社からの料金領収が可能であるかどうかチェックする（Ｓ１８）。料金領収が可能である場合、制御部２２は提供記憶媒体運用装置１０に対して料金領収が可能であることを通知する（Ｓ１９）。このようにすれば、銀行又はクレジット会社からコンテンツ復元に要する料金を徴収することが可能となる。
【００３７】
コンテンツセンター２０側では、暗号化コンテンツ復元鍵とＩＤを演算してオリジナル復元鍵を求め（Ｓ２０）、オリジナル復元鍵を提供記憶媒体運用装置１０側に通知する（Ｓ２１）。
【００３８】
図９はオリジナル復元鍵作成演算の説明図である。例えば、提供記憶媒体ＩＤが「ＡＨＳＢ５５５５５５５」、暗号化コンテンツ復元鍵（秘密鍵）が「ＦＦＦＦＦＦＦＦＦＦＦ」である場合、制御部２２は、ＩＤの数値部と暗号化コンテンツ復号鍵対応部の排他的論理和をとる演算を行ない、オリジナル復元鍵を得る。この時に得られたオリジナル復元鍵は「ＦＦＦＦＡＡＡＡＡＡＡ」となる。
【００３９】
このように、本発明によれば、セキュリティの高い復元鍵を提供することができる。
【００４０】
提供記憶媒体運用装置１０側では、料金支払い可能通知ＯＫを確認した後（Ｓ２２）、制御部３がオリジナル復元鍵を受信したかどうかチェックする（Ｓ２３）。オリジナル復元鍵を受信した場合、自動モードであるかどうかをチェックする（Ｓ２４）。自動モードでない場合には、オペレータが何らかの方法により入手したオリジナル復元鍵を入力する（Ｓ２５）。これによれば、手入力された復元鍵に基づいてコンテンツを復元することができる。
【００４１】
自動モードである場合、又は手入力によりオリジナル復元鍵を入力した後、オリジナル復元鍵と提供記憶媒体ＩＤを逆演算して暗号化コンテンツ復元鍵を求める（Ｓ２６）。次に、暗号化コンテンツ復元鍵を使用して、提供記憶媒体から暗号化コンテンツ記憶部４４に記憶されている暗号化コンテンツを提供記憶媒体読取部１により読み出し、インストーラ部４１で暗号化コンテンツを復元し、記憶部２ｂに記憶する（Ｓ２７）。次に、復元済み暗号化コンテンツの運用・実行を図る（Ｓ２８）。
【００４２】
なお、提供記憶媒体作成の場合には、提供記憶媒体に、インストーラ（暗号化復元機能含む）、基本コンテンツ、暗号化されたコンテンツ及び提供記憶媒体を識別するＩＤを記憶する行程をとる（Ｓ２９）。
【００４３】
上述の実施の形態例では、コンテンツを秘密鍵により暗号化し、復元鍵により復号する場合について説明したが、本発明は必ずしもこれに限るものではなく、パスワードを用いることもできる。即ち、パスワードを用いてコンテンツにアクセスし、コンテンツを運用・実行することができる。これにより、秘密鍵に代えてパスワードを用いてコンテンツにアクセスし、運用することが可能となる。
【００４４】
上述の実施の形態例では、演算及び逆演算を用いて復元鍵を作成し、該復元鍵に基づいて符号化コンテンツを復元する場合について説明した。しかしながら、本発明はこれに限るものではなく、セキュリティの確保が図れている場合、暗号化コンテンツを即復元化できる復元鍵を記憶部２３に記憶するようにすることができる。このようにすれば、シーケンスを簡略化することができる。
【００４５】
本発明によれば、秘密鍵により暗号化されたコンテンツを複数段用意し、段毎に秘密鍵により復元するようにすることもできる。これによれば、段毎にコンテンツを復元することができ、更に高いセキュリティが得られると同時に、段毎の価格を設定できる。
【００４６】
本発明によれば、提供記憶媒体自体を復元することができる。このようにすれば、コンテンツを大量に出荷する場合に、格納量が増えるので、提供記憶媒体を少なくすることができる。
【００４７】
また、本発明によれば、提供記憶媒体を識別する識別子のレングスは、秘密鍵のレングスと同じにすることができる。このようにすれば、演算を容易に行なうことができる。
【００４８】
上述の実施の形態例は、コンテンツが教育コンテンツである場合が好ましい適用例であるが、本発明はこれに限るものではなく、その他のコンテンツ、例えば音楽データ、映像データ、文書データ、静止画データ、コンピュータのソフトウェア等にも適用できるものである。
【００４９】
本発明によれば、以下のような効果が得られる。
▲１▼サービス提供者の負担を最小限に押さえながら、サービス提供を望むユーザにのみ新規機能を提供することができる。本発明によれば、提供が１回ですむので、コスト低減が図れる。
▲２▼扱い方を習熟した上でコンテンツが購入されるので、問い合わせが減少し、質問／回答に要する費用が削減できる。
▲３▼提供するコンテンツ代金を自動的に決済するので、回収費用が削減できる。
▲４▼復元鍵が漏れても他ユーザでは復元できず、代金踏み倒しが防止できる。
▲５▼秘密鍵が複製生産された提供記憶媒体に共通なので、秘密鍵管理の容易化が図れる。
【００５０】
【発明の効果】
以上、説明したように、本発明によれば、以下の効果が得られる。
（１）請求項１記載の発明によれば、提供記憶媒体運用装置からコンテンツセンターに媒体の識別子を通知すると、コンテンツセンターでは、提供記憶媒体の復元鍵を提供記憶媒体運用装置に通知し、提供記憶媒体運用装置側では、通知された復元鍵に基づいて暗号化されているコンテンツを復元することができる。本発明によれば、営業担当者がわざわざユーザに出向かなくても、コンテンツ更新が可能となる。
（２）請求項２記載の発明によれば、段毎にコンテンツを復元することができ、更に高いセキュリティを得ることができると共に、段毎に価格を設定できる。
（３）請求項３記載の発明によれば、シーケンスを簡略化することができる。
（４）請求項４記載の発明によれば、手入力された復元鍵に基づいてコンテンツを復元することができる。
（５）請求項５記載の発明によれば、コンテンツを大量に出荷する場合に格納量が増えるので、記憶媒体数を少なくすることができる。
（６）請求項６記載の発明によれば、パスワードを用いて、コンテンツを取得することができる。
（７）請求項７記載の発明によれば、ネットワークを介して復元鍵を前記コンテンツセンターから提供記憶媒体運用装置へ通知することで暗号化されたコンテンツを復元することができる。
（８）請求項８記載の発明によれば、前記コンテンツセンターから復元鍵を受け取ることにより、コンテンツ記憶部に記憶されたコンテンツの復号を行ない、第１の記憶部に記憶させることができる。
（９）請求項９記載の発明によれば、セキュリティの高い復元鍵を提供することができる。
（１０）請求項１０記載の発明によれば、銀行又はクレジット会社からコンテンツ復元に要する料金を徴収することが可能となる。
（１１）請求項１１記載の発明によれば、前記請求項７記載の提供記憶媒体を識別する識別子のレングスは、秘密鍵のレングスと同じであることを特徴とする。
【００５１】
このように構成すれば、演算を容易に行なうことができる。
（１２）請求項１２記載の発明によれば、秘密鍵に代えてパスワードを用いてコンテンツにアクセスし、運用することが可能となる。
【００５２】
このように、本発明によれば、コンテンツの機能向上を提供する画面で、正当な権利を取得したユーザのみに料金回収の手間を省き、営業担当者が再訪問しなくてもすむコンテンツ提供方法及びシステムを提供することができる。
【図面の簡単な説明】
【図１】本発明方法の原理を示すフローチャートである。
【図２】本発明の原理ブロック図である。
【図３】提供記憶媒体の構成例を示すブロック図である。
【図４】販売品の暗号化コンテンツ復元鍵を示す図である。
【図５】本発明の動作の一例を示すフローチャートである。
【図６】本発明の動作の一例を示すフローチャートである。
【図７】販売品一覧ＩＤを示す図である。
【図８】要求コード一覧を示す図である。
【図９】オリジナル復元鍵作成演算の説明図である。
【符号の説明】
１  提供記憶媒体読取部
２ａ，２ｂ  記憶部
３  制御部
４  接続部
１０  提供記憶媒体運用装置
２０  コンテンツセンター
２１  接続部
２２  制御部
２３  記憶部
３０  インターネット
３１  クレジット会社
３２  銀行
４０  提供記憶媒体
【図１】
2004289365.tif 000003
【図２】
2004289365.tif 000004
【図３】
2004289365.tif 000005
【図４】
2004289365.tif 000006
【図５】
2004289365.tif 000007
【図６】
2004289365.tif 000008
【図７】
2004289365.tif 000009
【図８】
2004289365.tif 000010
【図９】
2004289365.tif 000011